(57)【特許請求の範囲】
【請求項１】
三次元映像再生のためのバリア・パネル装置において、
相互平行した複数個のセグメントを具備する第１電極、前記セグメントと垂直方向の相互平行した複数個のバリアを具備する第２電極、及び前記第１電極と前記第２電極との間に配列される液晶を具備するバリア・パネルと、
前記セグメントのうちの所定のセグメントに印加されるセグメント駆動電圧は、前記所定のセグメントの周期のうち前半の半周期の間ではオン/オフ状態をとり、後半の半周期の間では前記前半の半周期の間でのオン/オフ状態とは反対のオン/オフ状態をとるように制御し、前記セグメント駆動電圧の周期について、隣接するセグメントが順次にオン状態転換できるように各セグメントがオン状態に転換される時点が順次に遅延され、隣接するセグメントが順次にオフ状態転換できるように各セグメントがオフ状態に転換される時点が順次に遅延されるように制御するセグメント駆動電圧制御部と、
前記第２電極の奇数番目のバリアに共通して印加される奇数番目のバリア駆動電圧と、偶数番目のバリアに共通して印加される偶数番目のバリア駆動電圧と、を制御し、前記奇数番目のバリア駆動電圧及び前記偶数番目のバリア駆動電圧のオン／オフ状態が互いに反対に交差しつつ、周期的に反復されるように制御するバリア駆動電圧制御部と、を含み、
前記オン状態は、正極の所定電圧値を示し、前記オフ状態は、０の電圧値を示すことを特徴とするバリア・パネル装置。
【請求項２】
三次元映像再生装置のバリア・パネルを駆動する方法において、
三次元映像再生のための映像表示パネルに映像信号が表示される方向及び周期に基づいて、前記バリア・パネルの第１電極の相互平行した複数個のセグメントにそれぞれ印加されるセグメント駆動電圧を制御する段階と、
前記第１電極のセグメントと垂直であって相互平行した複数個のバリアを具備する第２電極の複数個のバリアのうち、奇数番目のバリアに共通して印加される奇数番目のバリア駆動電圧と、偶数番目のバリアに共通して印加される偶数番目のバリア駆動電圧とを、前記映像表示パネル上の映像信号の表示方向に基づいて制御する段階と、
前記第１電極のセグメント駆動電圧、前記第２電極の前記奇数番目のバリア駆動電圧、及び前記偶数番目のバリア駆動電圧を同期化する段階と、を含み、
前記セグメント駆動電圧の制御段階は、前記セグメント駆動電圧の周期のうち前半の半周期の間に所定セグメントに印加される駆動電圧のオン/オフ状態とは反対のオン/オフ状態を、後半の半周期の間に前記所定セグメントに印加するように制御する段階と、
前記セグメント駆動電圧の周期について、隣接するセグメントが順次にオン状態転換できるように各セグメントがオン状態に転換される時点が順次に遅延され、隣接するセグメントが順次にオフ状態転換できるように各セグメントがオフ状態に転換される時点が順次に遅延されるように制御する段階とを含み、
前記オン状態は、正極の所定電圧値を示し、前記オフ状態は、０の電圧値を示し、
前記バリア・パネルは、前記第１電極と前記第２電極との間に配列される液晶を含むことを特徴とするバリア・パネル駆動方法。
【請求項３】
前記奇数番目及び偶数番目のバリア駆動電圧の制御段階は、
前記奇数番目及び偶数番目のバリア駆動電圧のオン／オフ状態が互いに反対に交差しつつ、周期的に反復されるように制御する段階を含むことを特徴とする請求項2に記載のバリア・パネル駆動方法。
【請求項４】
前記奇数番目及び偶数番目のバリア駆動電圧の制御段階は、
前記奇数番目及び偶数番目のバリア駆動電圧の周期のうち最初の半周期の間は、前記奇数番目のバリア駆動電圧はオン状態に、前記偶数番目のバリア駆動電圧はオフ状態に維持する段階と、
前記奇数番目及び偶数番目のバリア駆動電圧の周期のうち２番目の半周期の間は、前記奇数番目のバリア駆動電圧はオフ状態に、前記偶数番目のバリア駆動電圧はオン状態に維持する段階と、をさらに含み、
前記オン状態は、正極の所定電圧値を示し、前記オフ状態は、０Ｖの電圧値を示すことを特徴とする請求項3に記載のバリア・パネル駆動方法。
【請求項５】
前記奇数番目及び偶数番目のバリア駆動電圧の制御段階は、
前記奇数番目及び偶数番目のバリア駆動電圧の周期を垂直同期化信号周期の４倍になるように制御する段階と、
前記奇数番目及び偶数番目のバリア駆動電圧を、前記垂直同期化信号を基準に同期化する段階と、をさらに含むことを特徴とする請求項4に記載のバリア・パネル駆動方法。
【請求項６】
前記セグメント駆動電圧の制御段階は、前記セグメント駆動電圧の１周期を、垂直同期化信号の周期の４倍になるように制御する段階をさらに含み、
前記セグメント駆動電圧のオン／オフ状態の転換時点の遅延制御段階は、前記それぞれのセグメント駆動電圧を、前記垂直同期化信号を基準に同期化する段階を含むことを特徴とする請求項2に記載のバリア・パネル駆動方法。
【請求項７】
前記同期化段階は、前記奇数番目のバリア駆動電圧、偶数番目のバリア駆動電圧及び前記セグメント駆動電圧を、垂直同期化信号の時点を基準に同期化する段階を含み、
前記バリア・パネル駆動方法は、それぞれのセグメントに対して、前記奇数番目のバリア駆動電圧と、前記セグメント駆動電圧との差電圧である奇数番目のバリア・スイッチング駆動電圧の絶対値；前記偶数番目のバリア駆動電圧と、前記セグメント駆動電圧との差電圧である偶数番目のバリア・スイッチング駆動電圧の絶対値；のそれぞれのオン／オフ状態が、互いに反対に交差しつつ、前記垂直同期化信号の周期の間維持されるように制御する段階をさらに含むことを特徴とする請求項2に記載のバリア・パネル駆動方法。
【請求項８】
三次元映像再生のためのバリア・パネル駆動方法を具現するためにコンピュータで実行可能なプログラムが記録されたコンピュータで読み取り可能な記録媒体において、前記バリア・パネル駆動方法は、
三次元映像再生のための映像表示パネルに映像信号が表示される方向及び周期に基づいて、前記バリア・パネルの相互平行する第１電極の複数個のセグメントにそれぞれ印加されるセグメント駆動電圧を制御する段階と、
前記第１電極のセグメントに垂直であって相互平行するバリアを具備する前記バリア・パネルの第２電極の複数個のバリアのうち、奇数番目のバリアに共通して印加される奇数番目のバリア駆動電圧と、偶数番目のバリアに共通して印加される偶数番目のバリア駆動電圧とを、前記映像表示パネル上の映像信号の表示方向に基づいて制御する段階と、
前記第１電極のセグメント駆動電圧、前記第２電極の前記奇数番目のバリア駆動電圧、及び前記偶数番目のバリア駆動電圧を同期化する段階と、
それぞれのセグメントに対して、前記奇数番目のバリア駆動電圧と、前記セグメント駆動電圧との差電圧である奇数番目のバリア・スイッチング駆動電圧の絶対値；前記偶数番目のバリア駆動電圧と、前記セグメント駆動電圧との差電圧である偶数番目のバリア・スイッチング駆動電圧の絶対値；のそれぞれのオン／オフ状態が、前記垂直同期化信号の時点を基準に互いに反対に交差しつつ、前記垂直同期化信号の周期の間維持されるように制御する段階と、を含み、
前記セグメント駆動電圧の制御段階は、前記セグメント駆動電圧の周期のうち前半の半周期の間に所定セグメントに印加される駆動電圧のとは反対のオン/オフ状態を、後半の半周期の間に前記所定セグメントに印加するように制御する段階と、
前記セグメント駆動電圧の周期について、隣接するセグメントが順次にオン状態転換できるように各セグメントがオン状態に転換される時点が順次に遅延され、隣接するセグメントが順次にオフ状態転換できるように各セグメントがオフ状態に転換される時点が順次に遅延されるように制御する段階とを含み、
前記オン状態は、正極の所定電圧値を示し、前記オフ状態は、０の電圧値を示し、
前記バリア・パネルは、前記第１電極と前記第２電極との間に配列される液晶を含むことを特徴とする記録媒体。
【発明の詳細な説明】
【技術分野】
【０００１】
本発明は、三次元映像再生のためのバリア・パネル装置及びその駆動に関する。
【背景技術】
【０００２】
三次元（３Ｄ）映像は、両眼を介したステレオ視角の原理を利用し、６５mmほど離れて存在する両目の間隔による両眼視差（binocular  parallax）によって、両眼には立体感として感じ取られる。人体の両目が見つめる互いに対応する二次元映像が網膜を介して脳に伝えられれば、脳は、これらを互いに融合して、三次元映像の深さ感と実在感とが感知されるが、かような現象をステレオグラフィ（stereography）という。
【０００３】
ステレオグラフィを利用して三次元映像を再生するために、特殊メガネによる三次元映像ディスプレイ方式、無メガネ式三次元映像ディスプレイ方式、そしてホログラフィック（holographic）・ディスプレイ方式などが導入されている。
【０００４】
ここで、無メガネ式三次元映像ディスプレイ方式は、左目／右目に対応するそれぞれの映像に、縦格子状の開口（aperture）を配し、映像を分離して観察できるようにするパララックス・バリア（parallax  barrier）方式と、半円筒形レンズを配列したレンチキュラ板（lenticular  plate）を利用するレンチキュラ（lenticular）方式とに分けることができる。
【０００５】
パララックス・バリア方式を利用する三次元映像再生装置は、左目用及び右目用のステレオ映像（stereo  image）をそれぞれ分離して表示することによって、三次元映像を具現する。簡単に、左目用／右目用映像情報が表示される平面映像に、縦方向あるいは横方向に配列されたスリット状の開口を重ねることによって、肉眼で十分に感知できるほどの十分な視差情報をユーザに提供し、ユーザのステレオグラフィを誘発させて立体感を感させることができる。
【発明の概要】
【発明が解決しようとする課題】
【０００６】
本発明の実施形態による液晶ディスプレイのためのバリア・パネル装置は、相互平行した複数個のセグメントを具備する第１電極、前記セグメントと垂直方向の相互平行した複数個のバリアを具備する第２電極、及び前記第１電極と前記第２電極との間に配列される液晶を具備するバリア・パネル；前記第１電極のセグメントに印加される駆動電圧を制御するセグメント駆動電圧制御部；前記第２電極のバリアに印加される駆動電圧を制御するバリア駆動電圧制御部；を含むことを課題とする。
【０００７】
本発明は、韓国特許庁に２００８年８月１８日に出願された韓国特許出願第１０−２００８−００８０５６６に対して優先権を主張するものである。
【課題を解決するための手段】
【０００８】
本発明の一実施形態による液晶ディスプレイのためのバリア・パネル装置は、相互平行した複数個のセグメントを具備する第１電極、前記セグメントと垂直方向の相互平行した複数個のバリアを具備する第２電極、及び前記第１電極と前記第２電極との間に配列される液晶を具備するバリア・パネル；前記第１電極のセグメントに印加される駆動電圧を制御するセグメント駆動電圧制御部；前記第２電極のバリアに印加される駆動電圧を制御するバリア駆動電圧制御部；を含む。
【０００９】
一実施形態によるバリア・パネル装置の前記バリア駆動電圧制御部は、前記第２電極の奇数番目のバリアに共通して印加される奇数番目のバリア駆動電圧と、偶数番目のバリアに共通して印加される偶数番目のバリア駆動電圧とを制御し、前記奇数番目のバリア駆動電圧及び前記偶数番目のバリア駆動電圧のオン／オフ状態（on/off state）が互いに反対に交差しつつ、周期的に反復されるように制御可能である。
【００１０】
一実施形態によるバリア・パネル装置の前記セグメント駆動電圧制御部は、それぞれのセグメント駆動電圧が周期的に印加されるように制御し、所定セグメントのセグメント駆動電圧のオン／オフ状態の変更時点が、隣接するセグメントのセグメント駆動電圧のオン／オフ状態の変更時点から、順次に遅延されるように制御できる。
【００１１】
一実施形態によるバリア・パネル装置の前記バリア駆動電圧制御部は、前記奇数番目及び偶数番目のバリア駆動電圧の最初の半周期の間は、前記奇数番目のバリア駆動電圧はオン状態（on  state）に、前記偶数番目のバリア駆動電圧はオフ状態（off  state）に維持され、前記奇数番目及び偶数番目のバリア駆動電圧の２番目の半周期の間は、前記奇数番目のバリア駆動電圧はオフ状態に、前記偶数番目のバリア駆動電圧はオン状態に維持されるように、前記奇数番目及び偶数番目のバリア駆動電圧を制御し、前記オン状態は、正極の所定電圧値を示し、前記オフ状態は、０Ｖの電圧値を示すことができる。
【００１２】
一実施形態によるバリア・パネル装置の前記バリア駆動電圧制御部は、前記奇数番目及び偶数番目のバリア駆動電圧の１周期を、垂直同期化信号（vertical  synchronization  signal）の周期の４倍になるように制御し、前記奇数番目のバリア駆動電圧及び前記偶数番目のバリア駆動電圧を、前記垂直同期化信号の時点を基準に同期化することができる。
【００１３】
一実施形態によるバリア・パネル装置の前記バリア駆動電圧制御部は、前記奇数番目のバリア駆動電圧及び前記偶数番目のバリア駆動電圧をパルス形態で印加し、オン／オフ状態が高周波で反復されるように制御し、前記オン状態は、正極の所定電圧値を示し、前記オフ状態は、負極の所定電圧値を示すことができる。
【００１４】
一実施形態によるバリア・パネル装置の前記セグメント駆動電圧制御部は、前記セグメント駆動電圧の最初の半周期の間に印加される前記セグメント駆動電圧のオン／オフ状態が、前記セグメント駆動電圧の２番目の半周期の間には、反対状態で印加されるように、前記それぞれのセグメント駆動電圧を制御し、前記セグメント駆動電圧周期の間、前記複数個のセグメントの駆動電圧のオン／オフ状態の転換時点が、最初のセグメントの転換時点から、順次に所定遅延時間ほど遅延されるように前記セグメント駆動電圧を制御し、前記オン状態は、正極の所定電圧値を示し、前記オフ状態は、０Ｖの電圧値を示すことができる。
【００１５】
一実施形態によるバリア・パネル装置の前記セグメント駆動電圧制御部は、所定セグメントに係わる所定遅延時間を、三次元映像再生のための映像表示パネルに実際映像が表示される時間と、前記所定セグメントの順序とに比例するように決定できる。
【００１６】
一実施形態によるバリア・パネル装置の前記セグメント駆動電圧制御部は、前記セグメント駆動電圧の１周期を、垂直同期化信号の周期の４倍になるように制御し、前記それぞれのセグメント駆動電圧を、前記垂直同期化信号の時点を基準に同期化することができる。
【００１７】
一実施形態によるバリア・パネル装置の前記セグメント駆動電圧制御部は、前記セグメント駆動電圧をパルス形態で印加し、オン／オフ状態が高周波で反復されるように制御し、前記セグメント駆動電圧の半周期の間、それぞれのセグメントにオン状態の所定駆動信号が一回印加される時点が、最初のセグメントから順次に所定遅延時間ほどシフトされるように制御し、前記オン状態は、正極の所定電圧値を示し、前記オフ状態は、負極の所定電圧値を示すことができる。
【００１８】
一実施形態によるバリア・パネル装置の前記セグメント駆動電圧制御部は、前記セグメント駆動電圧の１周期を、垂直同期化信号の周期の２倍になるように制御し、前記それぞれのセグメント駆動電圧を、前記垂直同期化信号の時点を基準に同期化することができる。
【００１９】
一実施形態による前記バリア・パネル装置は、前記第２電極の奇数番目のバリアに共通して印加される奇数番目のバリア駆動電圧、偶数番目のバリアに共通して印加される偶数番目のバリア駆動電圧、及び前記第１電極のそれぞれのセグメントに印加されるセグメント駆動電圧を垂直同期化信号の時点を基準に同期化し、それぞれのセグメントに対して、前記奇数番目のバリア駆動電圧と、前記セグメント駆動電圧との差電圧である奇数バリア・スイッチング駆動電圧の絶対値；前記偶数番目のバリア駆動電圧と、前記セグメント駆動電圧との差電圧である偶数番目のバリア・スイッチング駆動電圧の絶対値；のそれぞれのオン／オフ状態が、互いに反対に交差しつつ、前記垂直同期化信号の１周期の間維持されるように制御するバリア・パネル制御部をさらに含むことができる。
【００２０】
本発明の一実施形態によって、三次元映像再生装置のバリア・パネルを駆動する方法は、三次元映像再生のための映像表示パネルに映像信号が表示される方向及び周期に基づいて、前記バリア・パネルの第１電極の複数個のセグメントにそれぞれ印加されるセグメント駆動電圧を制御する段階と、前記映像表示パネル上の映像信号の表示方向に基づいて、前記バリア・パネルの第２電極の複数個のバリアのうち、奇数番目のバリアに共通して印加される奇数番目のバリア駆動電圧と、偶数番目のバリアに共通して印加される偶数番目のバリア駆動電圧とを制御する段階と、前記第１電極のセグメント駆動電圧、前記第２電極の前記奇数番目のバリア駆動電圧、及び前記偶数番目のバリア駆動電圧を同期化する段階と、を含み、前記バリア・パネルは、相互平行した複数個のセグメントを具備する第１電極、前記セグメントと垂直方向の相互平行した複数個のバリアを具備する第２電極、及び前記第１電極と前記第２電極との間に配列される液晶を含む。
【００２１】
一実施形態のバリア・パネル駆動方法の前記奇数番目及び偶数番目のバリア駆動電圧の制御段階は、前記奇数番目及び偶数番目のバリア駆動電圧のオン／オフ状態が互いに反対に交差しつつ、周期的に反復されるように制御する段階を含むことができる。
【００２２】
一実施形態のバリア・パネル駆動方法の前記奇数番目及び偶数番目のバリア駆動電圧の制御段階は、前記奇数番目及び偶数番目のバリア駆動電圧の１周期のうち最初の半周期の間は、前記奇数番目のバリア駆動電圧はオン状態に、前記偶数番目のバリア駆動電圧はオフ状態に維持する段階と、前記奇数番目及び偶数番目のバリア駆動電圧の１周期のうち２番目の半周期の間は、前記奇数番目のバリア駆動電圧はオフ状態に、前記偶数番目のバリア駆動電圧はオン状態に維持する段階と、をさらに含み、前記オン状態は、正極の所定電圧値を示し、前記オフ状態は、０Ｖの電圧値を示すことができる。
【００２３】
一実施形態のバリア・パネル駆動方法の前記奇数番目及び偶数番目のバリア駆動電圧の制御段階は、前記奇数番目及び偶数番目のバリア駆動電圧の１周期を、垂直同期化信号の周期の４倍になるように制御する段階と、前記奇数番目及び偶数番目のバリア駆動電圧を、前記垂直同期化信号の時点を基準に同期化する段階と、をさらに含むことができる。
【００２４】
一実施形態のバリア・パネル駆動方法の前記奇数番目及び偶数番目のバリア駆動電圧の制御段階は、前記奇数番目及び偶数番目のバリア駆動電圧をパルス形態で印加し、垂直同期化信号の時点を基準に、オン／オフ状態が高周波で交差しつつ反復されるように制御する段階を含み、前記オン状態は、正極の所定電圧値を示し、前記オフ状態は、負極の所定電圧値を示すことができる。
【００２５】
一実施形態のバリア・パネル駆動方法の前記セグメント駆動電圧の制御段階は、それぞれのセグメント駆動電圧が周期的に印加されるように制御する段階と、所定セグメントのセグメント駆動電圧のオン／オフ状態の変更時点が、隣接するセグメントのセグメント駆動電圧のオン／オフ状態の変更時点から、順次に遅延されるように制御する段階と、を含むことができる。
【００２６】
一実施形態のバリア・パネル駆動方法の前記セグメント駆動電圧の周期的制御段階は、前記セグメント駆動電圧の１周期のうち最初の半周期の間に所定セグメントに印加される駆動電圧のオン／オフ状態の反対に、２番目の半周期の間には、前記所定セグメントに印加されるように制御する段階を含み、前記セグメント駆動電圧のオン／オフ状態の変更時点の遅延制御段階は、前記セグメント駆動電圧の１周期の四分周期の間、前記複数個のセグメントの駆動電圧のオン／オフ状態の転換時点が、最初のセグメントの転換時点から、順次に所定遅延時間ほど遅延されるように制御する段階を含み、前記オン状態は、正極の所定電圧値を示し、前記オフ状態は、０Ｖの電圧値を示すことができる。
【００２７】
一実施形態のバリア・パネル駆動方法の前記セグメント駆動電圧の周期的制御段階は、前記セグメント駆動電圧の１周期を、垂直同期化信号の周期の４倍になるように制御し、前記セグメント駆動電圧のオン／オフ状態の変更時点の遅延制御段階は、前記それぞれのセグメント駆動電圧を、前記垂直同期化信号の時点を基準に同期化することができる。
【００２８】
一実施形態のバリア・パネル駆動方法の前記セグメント駆動電圧の周期的制御段階は、前記セグメント駆動電圧をパルス形態で印加し、オン／オフ状態が高周波で反復されるように制御する段階を含み、前記セグメント駆動電圧のオン／オフ状態の変更時点の遅延制御段階は、前記セグメント駆動電圧の１周期の間、それぞれのセグメントにオン状態の所定駆動信号が一回印加される時点が、最初のセグメントから順次に所定遅延時間ほどシフトされるように制御する段階を含み、前記オン状態は、正極の所定電圧値を示し、前記オフ状態は、負極の所定電圧値を示すことができる。
【００２９】
一実施形態のバリア・パネル駆動方法の前記セグメント駆動電圧の周期的制御段階は、前記セグメント駆動電圧の１周期を、垂直同期化信号の周期の２倍になるように制御する段階をさらに含み、前記セグメント駆動電圧のオン／オフ状態の変更時点の遅延制御段階は、前記それぞれのセグメント駆動電圧を、前記垂直同期化信号の時点を基準に同期化することができる。
【００３０】
一実施形態のバリア・パネル駆動方法の前記同期化段階は、前記第２電極の奇数番目のバリアに共通して印加される奇数番目のバリア駆動電圧、偶数番目のバリアに共通して印加される偶数番目のバリア駆動電圧、及び前記第１電極のそれぞれのセグメントに印加されるセグメント駆動電圧を垂直同期化信号の時点を基準に同期化する段階を含み、前記バリア・パネル駆動方法は、それぞれのセグメントに対して、前記奇数番目のバリア駆動電圧と、前記セグメント駆動電圧との差電圧である奇数番目のバリア・スイッチング駆動電圧の絶対値、及び前記偶数番目のバリア駆動電圧と、前記セグメント駆動電圧との差電圧である偶数番目のバリア・スイッチング駆動電圧の絶対値のそれぞれのオン／オフ状態が、互いに反対に交差しつつ、前記垂直同期化信号の１周期の間維持されるように制御する段階をさらに含むことができる。
【００３１】
本発明の一実施形態による三次元映像再生装置は、光源；映像信号が表示される映像表示パネル；相互平行した複数個のセグメントを具備する第１電極、前記セグメントと垂直方向の相互平行した複数個のバリアを具備する第２電極、及び前記第１電極と前記第２電極との間に配列される液晶を含むバリア・パネル；前記映像表示パネルに映像信号が表示される方向及び周期に基づいて、前記第１電極及び第２電極に印加される駆動電圧を制御するスイッチング駆動電圧制御部；を含む。
【００３２】
一実施形態による三次元映像再生装置の前記スイッチング駆動電圧制御部は、前記第２電極の複数個のバリアのうち奇数番目のバリアに共通して印加される奇数番目のバリア駆動電圧と、前記第１電極のセグメントに印加されるセグメント駆動電圧との差電圧である奇数番目のバリア・スイッチング駆動電圧の絶対値；偶数番目のバリアに共通して印加される偶数番目のバリア駆動電圧と、前記セグメント駆動電圧との差電圧である偶数番目のバリア・スイッチング駆動電圧の絶対値；のそれぞれのオン／オフ状態が、互いに反対に交差しつつ、周期的に反復されるように制御することができる。
【００３３】
一実施形態による三次元映像再生装置の前記スイッチング駆動電圧制御部は、前記奇数番目のバリア駆動電圧、偶数番目のバリア駆動電圧及びセグメント駆動電圧を、垂直同期化信号の時点を基準に同期化し、前記奇数番目のバリア・スイッチング駆動電圧、及び前記偶数番目のバリア・スイッチング駆動電圧のオン状態及びオフ状態を、それぞれ前記垂直同期化信号の１周期の間維持するように制御できる。
【００３４】
一実施形態による三次元映像再生装置の前記スイッチング駆動電圧制御部は、前記奇数番目及び偶数番目のバリア駆動電圧のオン／オフ状態が、互いに反対に交差しつつ、周期的に反復されるように制御する第２電極駆動電圧制御部；前記セグメント駆動電圧が周期的に印加されるように制御し、所定セグメントのセグメント駆動電圧のオン／オフ状態の変更時点が、隣接するセグメントのセグメント駆動電圧のオン／オフ状態の変更時点から、順次に遅延されるように制御する第１電極駆動電圧制御部；を含むことができる。
【００３５】
一実施形態による三次元映像再生装置の前記第２電極駆動電圧制御部は、前記奇数番目及び偶数番目のバリア駆動電圧の１周期のうち最初の半周期の間は、前記奇数番目のバリア駆動電圧はオン状態に、前記偶数番目のバリア駆動電圧はオフ状態に維持され、２番目の半周期の間は、前記奇数番目のバリア駆動電圧はオフ状態に、前記偶数番目のバリア駆動電圧はオン状態に維持されるように、前記奇数番目及び偶数番目のバリア駆動電圧を制御し、前記第１電極駆動電圧制御部は、前記セグメント駆動電圧の１周期のうち最初の半周期の間に所定セグメントに印加される駆動電圧のオン／オフ状態が２番目の半周期の間には、反対状態で印加されるように制御し、前記垂直同期化信号の時点を基準に、前記セグメント駆動電圧の四分周期の間には、前記複数個のセグメントの駆動電圧のオン／オフ状態の転換時点が、最初のセグメントの転換時点から、順次に所定遅延時間ほど遅延されるように前記セグメント駆動電圧を制御し、前記オン状態は、正極の所定電圧値を示し、前記オフ状態は、０Ｖの電圧値を示し、前記奇数番目及び偶数番目のバリア駆動電圧、及びセグメント駆動電圧の周期は、前記垂直同期化信号の周期の４倍でありうる。
【００３６】
一実施形態による三次元映像再生装置の前記第２電極駆動電圧制御部は、前記奇数番目及び偶数番目のバリア駆動電圧をパルス形態で印加し、前記垂直同期化信号の時点を基準に、オン／オフ状態が高周波で反復されるように制御し、前記第１電極駆動電圧制御部は、前記セグメント駆動電圧をパルス形態で印加し、オン／オフ状態が高周波で反復されるように制御し、垂直同期化信号の時点を基準に、前記セグメント駆動電圧の１周期の間にそれぞれのセグメントにオン状態の所定駆動信号が一回印加される時点が、最初のセグメントから順次に所定遅延時間ほどシフトされるように制御し、前記オン状態は、正極の所定電圧値を示し、前記オフ状態は、負極の所定電圧値を示すことができる。
【００３７】
また、本発明は、本発明の実施形態による三次元映像再生装置のバリア・パネル駆動方法を具現するためのプログラムが記録されたコンピュータで読み取り可能な記録媒体を含む。
【発明の効果】
【００３８】
セグメント及びバリアが同時に順次に開閉されうるように、映像表示パネルに映像が表示される時点を示す垂直同期化信号を基準に、セグメント駆動電圧及び奇数番目／偶数番目のバリア駆動電圧を同期化することによって、クロストークなしに左目に左視点映像が、右目に右視点映像が正確に結ばれ、目の疲労感が低減させることができる。
【図面の簡単な説明】
【００３９】
【図１】本発明の一実施形態による三次元映像再生のためのバリア・パネル装置のブロック図である。
【図２】本発明の一実施形態による三次元映像再生装置のブロック図である。
【図３】従来のバリア・パネルのための駆動電圧の波形の一例を図示する図である。
【図４】従来のバリア・パネルのための駆動電圧の波形の他の例を図示する図である。
【図５】本発明の一実施形態によるバリア・パネルのための駆動電圧の波形の一例を図示する図である。
【図６】本発明の一実施形態によるバリア・パネルのための駆動電圧の波形の他の例を図示する図である。
【図７】本発明の一実施形態による、バリア・パネルに印加される駆動電圧の差電圧、及びセグメント駆動電圧の遅延時間を図示する図である。
【図８】本発明の一実施形態による三次元映像再生のためのバリア・パネル駆動方法のフローチャートである。
【発明を実施するための形態】
【００４０】
以下、添付された図面を参照しつつ、多様な実施形態による本発明について説明する。
【００４１】
図１は、本発明の一実施形態による三次元映像再生のためのバリア・パネル装置のブロック図である。
【００４２】
一実施形態によるバリア・パネル装置１００は、第１電極１２０、第２電極１３０及び液晶１４０を具備するバリア・パネル１１０；セグメント駆動電圧制御部１５０及びバリア駆動電圧制御部１６０を含むバリア・パネル制御部１７０；を含む。他の実施形態によるバリア・パネル装置では、セグメント駆動電圧制御部１５０及びバリア駆動電圧制御部１６０が、バリア・パネル制御部１７０の外部構成要素でありうる。
【００４３】
バリア・パネル１１０は、液晶スイッチングパネルであるともいえ、第１電極１２０及び第２電極１３０を周期的にスイッチングすることによって、バリア・パネル１１０を通過する光の透過性を制御する。
【００４４】
第１電極１２０は、相互平行した複数個のセグメントを具備する。第２電極１３０は、前記セグメントと垂直方向に相互平行した複数個のバリア１３２を具備する。第１電極１２０と第２電極１３０との間には、液晶１３０が配列され、光の透過性を調節する。
【００４５】
第１電極１２０及び第２電極１３０は、それぞれ上板電極及び下板電極であるといえる。一実施形態では、第１電極（上板電極）１２０がセグメントを具備し、第２電極（下板電極）１３０がバリア１３２を具備している。しかし、他の実施形態では、第１電極（上板電極）１２０がバリア１３２を具備し、第２電極（下板電極）１３０がセグメントを具備し、反対の場合にも適用されうる。
【００４６】
本発明の一実施形態で、第１電極１２０は、横方向に長くセグメントに分割されており、第２電極１３０は、縦方向に長くバリア１３２に分割されている。映像表示パネルに映像が、左側から右側に表示されつつ、上端から下端に表示されるジグザグ方式が採択される場合、前記映像が表示される方向を考慮し、前記バリア・パネルを開閉するために、第１電極１２０のセグメントは横に長く、第２電極１３０のバリア１３２は縦に長く分割されたものである。
【００４７】
セグメント駆動電圧制御部１５０は、第１電極１２０のセグメント駆動電圧を制御する。それぞれのセグメント駆動電圧は、周期的に印加されねばならない。特に、セグメント駆動電圧制御部１５０は、所定セグメントのセグメント駆動電圧のオン／オフ状態の変更時点が、隣接するセグメントのセグメント駆動電圧のオン／オフ状態の変更時点から、順次に遅延されるように制御する。それぞれのセグメント駆動電圧の波形は、以下の図５及び６を参照しつつ詳述する。
【００４８】
バリア駆動電圧制御部１６０は、第２電極１３０のバリア１３２に印加される駆動電圧を制御する。バリア駆動電圧制御部１６０は、第２電極１３０の奇数番目のバリアに共通して印加される第１駆動電圧または奇数番目のバリア駆動電圧と、偶数番目のバリアに共通して印加される第２駆動電圧または偶数番目のバリア駆動電圧と、をそれぞれ制御する。奇数番目のバリア駆動電圧及び偶数番目のバリア駆動電圧のオン／オフ状態（on/off state）が互いに反対に交差しつつ、周期的に反復されうる。奇数番目及び偶数番目のバリア駆動電圧の波形は、以下の図５及び図６を参照して詳述する。
【００４９】
バリア・パネル制御部１７０は、バリア駆動電圧制御部１６０及びセグメント駆動電圧制御部１５０を制御し、バリア駆動電圧とセグメント駆動電圧との組み合わせ結果によって、オン／オフ状態が周期的に交差するように制御される。
【００５０】
一実施形態のバリア・パネル制御部１７０は、奇数番目のバリア駆動電圧、偶数番目のバリア駆動電圧及びセグメント駆動電圧を、垂直同期化信号を基準に同期化する。垂直同期化信号は、映像表示パネルに１つの映像が表示され始める時点を知らせる信号である。映像は、映像表示パネルに周期的に表示されるために、垂直同期化信号も周期的に発生する。
【００５１】
バリア・パネル１１０は、第１電極１２０及び第２電極１３０に印加される駆動電圧の差電圧が、結果として、バリア・パネルを駆動する電圧になる。従って、一実施形態のバリア・パネル制御部１７０は、バリア・パネル１１０を駆動するために、奇数番目のバリア駆動電圧と、セグメント駆動電圧との第１差電圧または奇数番目のバリア・スイッチング駆動電圧；偶数番目のバリア駆動電圧と、セグメント駆動電圧との第２差電圧または偶数番目のバリア・スイッチング駆動電圧；を利用する。
【００５２】
奇数番目／偶数番目のバリア・スイッチング駆動電圧は、その絶対値が周期的にオン／オフ状態が反復されることが望ましい。従って、本発明の一実施形態による奇数番目のバリア・スイッチング駆動電圧の絶対値と、偶数番目のバリア・スイッチング駆動電圧の絶対値とのオン／オフ状態は、互いに反対に交差しつつ、垂直同期化信号の１周期の間維持されるように制御されることが望ましい。奇数番目のバリア・スイッチング駆動電圧及び偶数番目のバリア・スイッチング駆動電圧の波形は、以下の図３ないし図７を参照して詳述する。
【００５３】
奇数番目のバリア駆動電圧、偶数番目のバリア駆動電圧及びセグメント駆動電圧は、周期信号であって、（ｉ）オン状態またはオフ状態が所定周期の間持続されつつ反復される方式（図３、図５及び図７）と、（ｉｉ）インパルス形態の高周波駆動電圧が反復される方式（図４及び図６）とがありえる。セグメント駆動電圧制御部１５０及びバリア駆動電圧制御部１６０は、それぞれ奇数番目のバリア駆動電圧、偶数番目のバリア駆動電圧及びセグメント駆動電圧を、いずれも共に（ｉ）方式または（ｉｉ）方式で印加されるように制御することが望ましい。
【００５４】
図２は、本発明の一実施形態による三次元映像再生装置のブロック図である。
【００５５】
一実施形態による三次元映像再生装置２００は、光源２２０、映像表示パネル２３０、バリア・パネル２４０、映像表示制御部２５０及びスイッチング駆動電圧制御部２６０を含む。
【００５６】
光源２２０は、映像表示パネル２３０に光を走査し、映像表示パネル２３０に表示される映像を、バリア・パネル２４０を通過してユーザの視角に到達させる。
【００５７】
映像表示パネル２３０は、映像信号を入力されて表示する。一実施形態の映像表示パネル２３０は、映像表示制御部２５０によって、映像信号が左側から右側に、上端から下端に順次に表示されるように制御される。
【００５８】
バリア・パネル２４０は、相互平行した複数個のセグメントを具備する第１電極１２０、セグメントと垂直方向の相互平行した複数個のバリア１３２を具備する第２電極１３０、及び第１電極１２０と第２電極１３０との間に配列される液晶１４０を具備する。バリア・パネル２４０は、スイッチング駆動電圧制御部２６０によって、第１電極１２０に印加される駆動電圧、及び第２電極１３０に印加される駆動電圧が制御される。
【００５９】
映像表示制御部２５０は、映像表示パネル２３０上に、映像が左側から右側に、上端から下端に（すなわち、左側上端側から右側下端側に）表示されるように制御し、垂直同期化信号を基準に、新しい映像が表示されるように制御する。
【００６０】
スイッチング駆動電圧制御部２６０は、映像表示パネル２３０上に映像信号が表示される方向及び周期に基づいて、第１電極１２０及び第２電極１３０に印加される駆動電圧を制御する。映像表示パネル２３０に映像信号が表示される部分に向かって光を走査できる、第１電極のセグメント及び第２電極１３０のバリア１３２に駆動電圧が印加されうるように、スイッチング駆動電圧制御部２６０は、映像表示制御部２５０の映像表示方向及び周期に基づいて、第１電極１２０及び第２電極１３０に印加される駆動電圧を制御する。
【００６１】
バリア・パネル２４０に印加される駆動電圧のオン／オフ状態は、周期的に反復されるので、第１電極１２０の駆動電圧と、第２電極１３０の駆動電圧との差電圧が、その絶対値のオン／オフ状態が周期的に反復されるように制御せねばならない。
【００６２】
特に、本発明の一実施形態によって、スイッチング駆動電圧制御部２６０は、第２電極の奇数番目のバリア駆動電圧と、第１電極のセグメント駆動電圧との差電圧である奇数番目のバリア・スイッチング駆動電圧の絶対値；偶数番目のバリア駆動電圧と、セグメント駆動電圧との差電圧である偶数番目のバリア・スイッチング駆動電圧の絶対値；それぞれのオン／オフ状態が、互いに反対に交差しつつ、周期的に反復されるように制御することが望ましい。
【００６３】
一実施形態によるスイッチング駆動電圧制御部２６０は、奇数番目のバリア・スイッチング駆動電圧の絶対値、及び偶数番目のバリア・スイッチング駆動電圧の絶対値が、垂直同期化信号を基準に同期化することができるように、セグメント駆動電圧及び奇数番目及び偶数番目のバリア駆動電圧を同期化することができる。
【００６４】
スイッチング駆動電圧制御部２６０は、第１電極駆動電圧制御部２７０及び第２電極駆動電圧制御部２８０を含むことができる。
【００６５】
第２電極駆動電圧制御部２８０は、奇数番目及び偶数番目のバリア駆動電圧のオン／オフ状態が、互いに反対に交差しつつ、周期的に反復されるように制御する。
【００６６】
第１電極駆動電圧制御部２７０は、セグメント駆動電圧が周期的に印加されるように制御し、所定セグメントのセグメント駆動電圧のオン／オフ状態の変更時点が、隣接するセグメントのセグメント駆動電圧のオン／オフ状態の変更時点から、順次に遅延されるように制御する。
【００６７】
スイッチング駆動電圧制御部２６０は、図１に図示されたバリア・パネル制御部１７０と同様に、バリア・パネル２４０に駆動電圧を印加する機能を行う。第１電極駆動電圧制御部２７０及び第２電極駆動電圧制御部２８０は、それぞれ図１に図示されたセグメント駆動電圧制御部１５０及びバリア駆動電圧制御部１６０に対応しうる。
【００６８】
スイッチング駆動電圧制御部２６０は、映像表示制御部２５０の映像表示周期及び方向を直接的に考慮し、第１電極駆動電圧制御部２７０及び第２電極駆動電圧制御部２８０を制御することによって、互いに異なる視点映像が周期的にユーザに走査するように制御し、三次元映像が再生できるように制御する。
【００６９】
スイッチング駆動電圧制御部２６０で、第１電極のセグメントに印加される電圧、及び第２電極のバリアに印加される電圧を制御する方式は、図１で図示されたセグメント駆動電圧制御部１５０及びバリア駆動電圧制御部１６０での駆動電圧の制御方式と同一でありえるので、以下の図３ないし図７を参考にして後述する。
【００７０】
図３は、従来のバリア・パネルのための駆動電圧の波形の一例を図示している。
【００７１】
バリア電極にある形態の駆動電圧が印加され、バリア電極の全領域に同時に駆動電圧が印加される。バリア駆動電圧３１０が、垂直同期化信号Ｖｓｙｎｃの周期３４０の２倍の区間間、０Ｖ（オフ状態）または＋Ｖ（オン状態）に維持される。バリア駆動電圧３１０の周期３５０は、垂直同期化信号Ｖｓｙｎｃの周期３４０の４倍と同一である。
【００７２】
セグメント駆動電圧３２０も、垂直同期化信号Ｖｓｙｎｃの周期３４０の２倍の区間の間０Ｖまたは＋Ｖに維持され、垂直同期化信号Ｖｓｙｎｃの周期３４０の４倍と同じ周期で印加される。
【００７３】
バリア駆動電圧３１０と、セグメント駆動電圧３２０との差電圧３３０が、垂直同期化信号周期３４０の間、０Ｖ（オフ状態）または＋Ｖ／−Ｖ（オン状態）に維持されつつ、垂直同期化信号周期３４０の２倍である周期３６０を有することができるように、バリア駆動電圧３１０及びセグメント駆動電圧３２０の０または＋Ｖ状態の変更時点が、周期３４０ずつずれる。
【００７４】
図４は、従来のバリア・パネルのための駆動電圧の波形の他の例を図示している。図４で図示された駆動電圧は、インパルス形態の高周波電圧である。バリア駆動電圧４１０は、−Ｖから＋Ｖの大きさで印加されるインパルス形態の高周波電圧であり、垂直同期化信号Ｖｓｙｎｃの周期４４０の２倍である周期４５０を有する。
【００７５】
セグメント駆動電圧４２０は、バリア駆動電圧４１０と類似したインパルス形態であるが、垂直同期化信号周期４４０と同じ周期で印加される。インパルス形態の電圧は、その絶対値が＋Ｖと一定しているので、オン状態が維持される効果がある。
【００７６】
バリア駆動電圧４１０と、セグメント駆動電圧４２０との差電圧４３０が、垂直同期化信号周期４４０の間、０Ｖ（オフ状態）または＋２Ｖ／−２Ｖ（オン状態）に維持されつつ、垂直同期化信号周期４４０の２倍である周期４６０を有することができるように、バリア駆動電圧４１０及びセグメント駆動電圧４２０は、極性が反対になるように印加される。
【００７７】
図３及び図４に図示された波形の電圧が印加されるとき、第１電極は、多数のセグメントに分離されているが、第２電極は、全体領域に１つの駆動電圧が印加される。これにより、映像の解像度が低下し、垂直同期化時点と映像の表示時間とが同期化されず、左視点映像と右視点映像とが混在される現象であるクロストーク（Ｘ−talk）が発生しうる。
【００７８】
図５は、本発明の一実施形態によるバリア・パネルのための駆動電圧の波形の一例を図示している。
【００７９】
図３のバリア駆動電圧３１０及びセグメント駆動電圧３２０の形態と類似した方式で、一実施形態によるバリア駆動電圧制御部１６０または第２電極駆動電圧制御部２８０は、垂直同期化信号Ｖｓｙｎｃの周期５０２の２倍の間、０Ｖまたは＋Ｖの駆動電圧を維持し、垂直同期化信号周期５０２の４倍の周期と同じ電圧周期５０４を有する駆動電圧を、バリア電極（第２電極）に印加する。
【００８０】
バリア駆動電圧制御部１６０または第２電極駆動電圧制御部２８０は、奇数番目のバリア駆動電圧５１０及び偶数番目のバリア駆動電圧５２０を制御し、垂直同期化信号周期５０２の２倍の周期と同じである、電圧周期５０４の最初の半周期５７０の間は、奇数番目のバリア駆動電圧５１０は大きさ＋Ｖの電圧、偶数番目のバリア駆動電圧５２０は０Ｖの電圧が印加されるようにする。電圧周期５０４の２番目の半周期５７２の間は、奇数番目のバリア駆動電圧５１０は０Ｖの電圧、偶数番目のバリア駆動電圧５２０は大きさ＋Ｖの電圧になるように制御される。
【００８１】
一実施形態によるセグメント駆動電圧制御部１５０または第１電極駆動電圧制御部２７０は、奇数番目のバリア駆動電圧５１０及び偶数番目のバリア駆動電圧５２０と同じ方式で、電圧周期５０４の半周期の間に大きさ＋Ｖの電圧、残り半周期の間に０Ｖの電圧が印加されるように、それぞれのセグメントに電圧を印加する。
【００８２】
ただし、第１電極は第１セグメント、第２セグメント、第３セグメント、…、第Ｎセグメントに区分されうる。映像表示パネル上で映像が上端から下端に表示される方向及び周期に基づいて、セグメントの位置別に異なる駆動電圧が印加されねばならない。従って、バリア駆動電圧及びセグメントの駆動電圧の電圧差の絶対値が、結果として電圧周期５０４の半周期の間に０Ｖを有し、残りの半周期の間＋Ｖの電圧を有することができる。セグメントの位置別にオン状態及びオフ状態に転換する時点が、映像が表示される方向及び周期に基づいて順次に遅延される。
【００８３】
本発明の一実施形態によるバリア電極は、奇数番目のバリア及び偶数番目のバリアに区分されて駆動される。奇数番目のバリア駆動電圧５１０と、第１セグメント、第４セグメント、第７セグメント、…、第Ｎセグメントに印加される駆動電圧５３０，５４０，５５０，５６０との第１電圧差の絶対値；偶数番目のバリア駆動電圧５２０と、それぞれのセグメントに印加される駆動電圧５３０，５４０，５５０，５６０との第２電圧差のそれぞれの絶対値；が、０Ｖまたは＋Ｖと互いに反対に交差する。セグメントの位置別に、オン／オフ状態の転換時点が、映像表示方向及び周期に基づいて順次に遅延される。
【００８４】
本発明の一実施形態によるセグメント駆動電圧制御部１５０または第１電極駆動電圧制御部２７０は、第１セグメント駆動電圧５３０、第４セグメント駆動電圧５４０、第７セグメント駆動電圧５５０、第Ｎセグメント駆動電圧５６０がそれぞれのセグメントに印加されるように制御する。
【００８５】
セグメント駆動電圧５３０，５４０，５５０，５６０の１周期は、電圧周期５０４または電圧周期５０２の４倍と同一である。１周期の間は、オン状態（＋Ｖ）及びオフ状態（０）である総区間が、それぞれ電圧周期５０２の２倍と同一である。
【００８６】
セグメント駆動電圧５３０，５４０，５５０，５６０間の差は、遅延時間に現れる。それぞれのセグメント駆動電圧５３０，５４０，５５０，５６０間の遅延時間は、電圧周期５０４の四分周期の間に循環的に発生する。第４セグメント駆動電圧５４０は、第１セグメント駆動電圧５３０より、オン／オフ転換時点が遅延時間５４５ほど遅く示される。第１セグメント駆動電圧５３０のオン／オフ転換時点に比べて、第７セグメント駆動電圧５５０は遅延時間５５５ほど、第Ｎセグメント駆動電圧５６０は遅延時間５６５ほど、オン／オフ転換時点が順次に遅く示される。
【００８７】
これにより、奇数番目のバリア駆動電圧５１０と、偶数番目のバリア駆動電圧５２０と、それぞれのセグメントに印加される駆動電圧５３０，５４０，５５０，５６０との電圧差の絶対値が、０Ｖまたは＋Ｖと互いに反対に交差しつつ、セグメントの位置別に順次に遅延できる。
【００８８】
図６は、本発明の一実施形態によるバリア・パネルのための駆動電圧の波形の他の例を図示している。
【００８９】
図４のバリア駆動電圧４１０及びセグメント駆動電圧４２０の高周波形態と同様に、図６の実施形態によるバリア駆動電圧制御部１６０または第２電極駆動電圧制御部２８０は、垂直同期化信号Ｖｓｙｎｃの周期６２４の２倍である周期６２２を有する奇数番目のバリア駆動電圧６１０、及び偶数番目のバリア駆動電圧６２０を制御する。奇数番目のバリア駆動電圧６１０が、大きさ＋Ｖ（−Ｖ）の電圧が印加される間、偶数番目のバリア駆動電圧６２０は、反対に大きさ−Ｖ（＋Ｖ）の電圧になるように制御される。
【００９０】
セグメント駆動電圧制御部１５０または第１電極駆動電圧制御部２７０は、奇数番目のバリア駆動電圧６１０及び偶数番目のバリア駆動電圧６２０と類似して、大きさ±Ｖのインパルス形態の高周波セグメント駆動電圧６３０，６４０，６５０，６６０が、第１セグメント、第２セグメント、第３セグメント、…、第Ｎセグメントに印加されるように制御する。
【００９１】
それぞれのセグメント駆動電圧６３０，６４０，６５０，６６０の遅延時間は、電圧周期６２４の１周期の間に循環的に発生する。セグメント駆動電圧６３０，６４０，６５０，６６０の遅延時間は、インパルス信号より＋Ｖ電圧が２倍長く維持される所定信号が印加される時点の遅延時間を示す。第４セグメント駆動電圧６４０は、第１セグメント駆動電圧６３０より、所定信号印加時点が遅延時間６４５ほど遅れて示される。類似するように、第１セグメント駆動電圧６３０の所定信号印加時点に比べて、第７セグメント駆動電圧６５０は、遅延時間６５５ほど順次に遅れて示される。第１セグメント駆動電圧６３０の所定信号印加時点に比べて、第Ｎセグメント駆動電圧６６０は、遅延時間６６５ほど所定信号印加時点が順次に遅れて示される。
【００９２】
図７は、本発明の一実施形態による、バリア・パネルに印加される駆動電圧の差電圧、及びセグメント駆動電圧の遅延時間を図示している。
【００９３】
バリア・パネルのスイッチング動作は、第１電極及び第２電極に印加される駆動電圧の差電圧によって駆動される。図７に図示された奇数番目のバリア・スイッチング駆動電圧７１０，７２０，７３０，７４０は、奇数番目のバリア駆動電圧と、それぞれのセグメント駆動電圧との差電圧の絶対値である。図７の駆動電圧は、図３及び図５で述べたオン／オフ状態の電圧が所定時間維持される電圧形態である。
【００９４】
それぞれのセグメントに係わる奇数番目のバリア・スイッチング駆動電圧７１０，７２０，７３０，７４０は、オン状態であるとき、奇数番目のバリアが開き、偶数番目のバリアが閉じられる。奇数番目のバリア・スイッチング駆動電圧７１０，７２０，７３０，７４０がオフ状態であるとき、偶数番目のバリアが開き、奇数番目のバリアが閉じられる。
【００９５】
また、それぞれの奇数番目または偶数番目のバリアが開かれる時間は、垂直同期化信号Ｖｓｙｎｃの周期７５０と一致する。このとき、実際映像ＤＥが表示される時間７６０は、奇数番目または偶数番目のバリアが開かれている時間に含まれる。
【００９６】
それぞれのセグメントに係わる奇数番目のバリア・スイッチング駆動電圧７１０，７２０，７３０，７４０のオン／オフ転換時点は、垂直同期化信号Ｖｓｙｎｃの印加時点を基準に、一定に遅延されて発生する。例えば、第１セグメントに印加される奇数番目のバリア駆動電圧７１０は、オン／オフ転換時点が、垂直同期化信号Ｖｓｙｎｃの印加時点から遅延時間７０５ほど遅れて発生する。
【００９７】
それぞれのセグメント間にも、奇数番目のバリア駆動電圧７１０，７２０，７３０，７４０が一定に遅延される。第２セグメント，第３セグメント，第Ｎセグメントの奇数番目のバリア・スイッチング駆動電圧７２０，７３０，７４０は、第１セグメントの奇数番目のバリア・スイッチング駆動電圧７１０に比べて、それぞれ第２遅延時間７２５、第３遅延時間７３５、第Ｎ遅延時間７４５ほど、オン／オフ転換時点が遅れて発生する。
【００９８】
第１セグメントの奇数番目のバリア・スイッチング駆動電圧に対比させた遅延時間７２５，７３５，７４５は、それぞれのセグメントの順序及び実際映像ＤＥの表示時間７６０に比例する。第１セグメントの奇数番目のバリア・スイッチング駆動電圧に対比させた第Ｎセグメントの奇数番目のバリア・スイッチング駆動電圧の第Ｎ遅延時間７４５は、下記式（１）による。
【００９９】
第Ｎ遅延時間＝（Ｎ−１）ＤＥ／Ｎ      （１）
これにより、第２遅延時間７２５、第３遅延時間７３５は、それぞれＤＥ／Ｎ、２ＤＥ／Ｎである。図７には、奇数番目のバリア・スイッチング駆動電圧７１０，７２０，７３０，７４０の絶対値だけ図示され、奇数番目のバリアを基準に説明されている。それぞれのセグメントに係わる偶数番目のバリア・スイッチング駆動電圧の絶対値は、奇数番目のバリア・スイッチング駆動電圧７１０，７２０，７３０，７４０の絶対値と、オン／オフ状態だけ交差された形態で印加される。
【０１００】
前述のように、セグメント駆動電圧制御部１５０または第１電極駆動電圧制御部２７０が、セグメント駆動電圧の波形と、垂直同期化信号に対するセグメント駆動電圧の同期化とを制御できる。
【０１０１】
他の実施形態によれば、セグメント駆動電圧制御部１５０及び第１電極駆動電圧制御部２７０は、セグメント駆動電圧の波形だけを制御する。バリア・パネル制御部１７０またはスイッチング駆動電圧制御部２６０は、セグメント駆動電圧及び奇数番目／偶数番目のバリア駆動電圧の同期化、垂直同期化信号に対する同期化動作を制御できる。
【０１０２】
本発明の実施形態のバリア・パネル駆動電圧制御方式によって、映像表示パネルに映像が表示される周期及び方向と互いに異なる視点の映像が表示される周期を考慮し、ユーザがさらに正確な三次元映像を見ることができる。セグメントの順序によって、駆動電圧が印加される時点が制御されうる。奇数番目のバリア及び偶数番目のバリアに印加される時点の差も調節されうる。
【０１０３】
図８は、本発明の一実施形態による三次元映像再生のためのバリア・パネル駆動方法のフローチャートである。
【０１０４】
段階８１０で、第１電極（第２電極）のそれぞれのセグメントの駆動電圧が制御される。段階８２０で、第２電極（第１電極）の奇数番目のバリア駆動電圧及び偶数番目のバリア駆動電圧がそれぞれ制御される。
【０１０５】
段階８１０及び段階８２０の制御動作は、映像表示パネルに映像が表示される順序及び周期に基づいて同時になされる。奇数番目のバリア及び偶数番目のバリアの駆動電圧は、互いに反対の波形を維持して周期的に反復される。それぞれのセグメントの駆動電圧は、セグメントの位置に基づいて順次に印加されるように制御される。第１セグメントを基準に、異なるセグメント駆動電圧の遅延時間は、セグメントの順序及び実際映像表示周期に比例する。
【０１０６】
段階８３０で、映像表示パネルに映像が表示される方向及び周期に基づいて、第１電極と第２電極との駆動電圧差が周期的であるように、第１電極のセグメント駆動電圧、及び第２電極の奇数番目／偶数番目のバリア駆動電圧が同期化される。
【０１０７】
例えば、映像表示パネルに、１フレームの左視点映像（または右視点映像）が、上端ラインから下端ラインに表示され、１ラインでは、左側から右側に表示され、１フレームの左視点映像（または右視点映像）の表示の完了に続き、右視点映像（または左視点映像）が同じ方向及び順序で表示される場合について後述する。
【０１０８】
左視点映像または右視点映像の上端ラインに対応するセグメントから駆動されるように、上端セグメント側から下端セグメント側に、順次にセグメント駆動電圧が制御され、左目（または右目）に対応する奇数番目のバリアと、右目（または左目）に対応する偶数番目のバリアが交差して開かれるように、バリア駆動電圧が制御されることが望ましい。
【０１０９】
このとき、セグメント及びバリアが同時に順次に開閉されうるように、映像表示パネルに映像が表示される時点を示す垂直同期化信号を基準に、セグメント駆動電圧及び奇数番目／偶数番目のバリア駆動電圧を同期化することによって、クロストークなしに、左目に左視点映像が、右目に右視点映像が正確に結ばれ、目の疲労感が低減させられる。
【０１１０】
一方、前述の本発明の実施形態は、コンピュータで実行できるプログラムに作成可能であり、コンピュータで読み取り可能な記録媒体を利用し、前記プログラムを動作させる汎用デジタル・コンピュータで具現されうる。前記コンピュータで読み取り可能な記録媒体は、マグネチック記録媒体（例えば、ＲＯＭ（read-only  memory）、フロッピー（登録商標）ディスク、ハードディスクなど）、光学的判読媒体（例えば、ＣＤ−ＲＯＭ、ＤＶＤなど）のような記録媒体を含む。
【０１１１】
本発明の実施形態はまた、伝送媒体上に記録されたコンピュータで読み取り可能なコードまたは命令語で具現されうる。例えば、伝送媒体は、キャリアウェーブや、インターネットを介してデータの送受信可能なデータ送受信装置を含むことができる。
【０１１２】
以上、本発明についてその望ましい実施形態を中心に述べた。本発明が属する技術分野で当業者であるならば、本発明が本発明の本質的な特性から外れない範囲で変形された形態で具現されうることを理解することができるであろう。従って、開示された実施形態は、限定的な観点ではなくして、説明的な観点から考慮されねばならない。本発明の範囲は、前述の説明ではなくして、特許請求の範囲に示されており、それと同等な範囲内にあるあらゆる差異点は、本発明に含まれるものであると解釈されねばならない。
【図１】
0005876293.tif 000002
【図２】
0005876293.tif 000003
【図３】
0005876293.tif 000004
【図４】
0005876293.tif 000005
【図５】
0005876293.tif 000006
【図６】
0005876293.tif 000007
【図７】
0005876293.tif 000008
【図８】
0005876293.tif 000009